(57)【要約】【課題】  プリント回路基板間を接続するフレキシブルフラットケーブルの引き廻し処理を簡素化し、経済的性を向上することができるようにすることを目的とする。【解決手段】  少なくとも３枚以上のプリント回路基板（以下、ＰＣＢ称する）３〜５を有し、これらＰＣＢ３〜５を略同一平面上に配設してなり、ＰＣＢ３〜５のうち、互いに隣接しないように配設されたＰＣＢ３、５間をフレキシブルフラットケーブル（ＦＦＣ）８で接続するようにした電子機器において、ＰＣＢ３〜５のうち、ＦＰＣ８で接続されるＰＣＢ３、５との間に配設されるＰＣＢ４には、ＦＰＣ８を挿通するケーブル挿通孔４１を設け、このケーブル挿通孔４１にＦＰＣ８を挿通して引き廻し、当該ケーブル挿通孔４１を設けたＰＣＢ４により、ＦＰＣ８を所定位置に保持するように構成する。【選択図】図４
2009043796.tif 000002
【特許請求の範囲】
【請求項１】
少なくとも３枚以上のプリント回路基板を有し、これらプリント回路基板を略同一平面上に配設してなり、前記プリント回路基板のうち、互いに隣接しないように配設された前記プリント回路基板間をフレキシブルフラットケーブルで接続するようにした電子機器において、
前記プリント回路基板のうち、前記フレキシブルフラットケーブルで接続されるプリント回路基板との間に配設されるプリント回路基板には、前記フレキシブルフラットケーブルを挿通するケーブル挿通孔を設け、このケーブル挿通孔に前記フレキシブルフラットケーブルを挿通して引き廻し、当該ケーブル挿通孔を設けたプリント回路基板により、前記フレキシブルフラットケーブルを所定位置に保持するように構成したことを特徴とする電子機器。
【請求項２】
少なくとも３枚以上のプリント回路基板を有し、これらプリント回路基板を略同一平面上にＬ字状に配設してなり、前記プリント回路基板のうち、両端部に配設された前記プリント回路基板間をフレキシブルフラットケーブルで接続するようにした電子機器において、
前記プリント回路基板のうち、コーナー部に配設されたプリント回路基板には、前記フレキシブルフラットケーブルを挿通するケーブル挿通孔を設け、このケーブル挿通孔に前記フレキシブルフラットケーブルを挿通して引き廻し、当該ケーブル挿通孔を設け、前記コーナー部に配設された前記プリント回路基板により、前記フレキシブルフラットケーブルを所定位置に保持するように構成したことを特徴とする電子機器。
【請求項３】
前記プリント回路基板のうち、コーナー部に配設されたプリント回路基板は、電源回路が搭載された電源プリント回路基板であって、前記電源回路は、交流領域と、直流領域とからなり、前記ケーブル挿通孔は、前記直流領域の空間部に形成されていることを特徴とする請求項２に記載の電子機器。
【請求項４】
少なくとも主プリント回路基板と、電源プリント回路基板と、入出力プリント回路基板とを有し、これら主プリント回路基板、電源プリント回路基板および入出力プリント回路基板を略同一平面上に、前記主プリント回路基板と、入出力プリント回路基板とが互いに隣接しないように配設し、前記主プリント回路基板と、前記入出力プリント回路基板との間をフレキシブルフラットケーブルで接続してなるテレビジョンにおいて、
前記電源プリント回路基板には、前記フレキシブルフラットケーブルを挿通するケーブル挿通孔を設け、このケーブル挿通孔に前記フレキシブルフラットケーブルを挿通して引き廻し、前記電源プリント回路基板により、前記フレキシブルフラットケーブルを所定位置に保持するように構成したことを特徴とするテレビジョン。
【請求項５】
少なくとも主プリント回路基板と、電源プリント回路基板と、入出力プリント回路基板とを有し、これら主プリント回路基板、電源プリント回路基板および入出力プリント回路基板を略同一平面上にＬ字状となるように、前記電源プリント回路基板をコーナー部に、前記主プリント回路基板および入出力プリント回路基板をそれぞれ両端部に配設し、前記主プリント回路基板と、前記入出力プリント回路基板との間をフレキシブルフラットケーブルで接続してなるテレビジョンにおいて、
前記電源プリント回路基板には、前記フレキシブルフラットケーブルを挿通するケーブル挿通孔を設け、このケーブル挿通孔に前記フレキシブルフラットケーブルを挿通して引き廻し、前記電源プリント回路基板により、前記フレキシブルフラットケーブルを所定位置に保持するように構成したことを特徴とするテレビジョン。
【請求項６】
全体的な制御を統括して行う制御手段を有し、アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示部と、電源回路と、前記テレビジョン受信手段に繋がれ、外部の機器と画像情報を含む信号を授受するためのコネクタを有する入出力部と、これらテレビジョン受信手段、画像表示部、電源回路および入出力部を収納する筐体とを有し、前記テレビジョン受信手段の少なくとも前記制御手段を含む主要部は、主プリント回路基板に、前記電源回路は、電源プリント回路基板に、前記入出力部は、入出力プリント回路基板に、それぞれ搭載し、これら主プリント回路基板、電源プリント回路基板および入出力プリント回路基板を略同一平面上にＬ字状となるように、前記電源プリント回路基板をコーナー部に、前記主プリント回路基板および入出力プリント回路基板をそれぞれ両端部に配設し、前記主プリント回路基板と、前記入出力プリント回路基板との間をフレキシブルフラットケーブルで接続してなるテレビジョンにおいて、
前記画像表示部の裏面には、シャーシを、更に備え、当該シャーシには、少なくとも前記主プリント回路基板と、電源プリント回路基板と、入出力プリント回路基板とを配設し、前記電源プリント回路基板には、前記フレキシブルフラットケーブルを挿通するケーブル挿通孔を設け、このケーブル挿通孔に前記フレキシブルフラットケーブルを挿通して引き廻し、前記電源プリント回路基板により、前記フレキシブルフラットケーブルを所定位置に保持するように構成したことを特徴とするテレビジョン。
【請求項７】
前記主プリント回路基板は、前記フレキシブルフラットケーブルが接続されるコネクタを有し、このコネクタは、前記電源プリント回路基板側に配設するとともに、前記ケーブル挿通孔は、前記電源プリント回路基板の前記主プリント回路基板側に形成されていることを特徴とする請求項４乃至請求項６のいずれかに記載のテレビジョン。
【請求項８】
前記ケーブル挿通孔が設けられた前記電源プリント回路基板は、交流領域と、直流領域とからなり、前記直流領域には、前記主プリント回路基板側に近接する部分を有し、前記ケーブル挿通孔は、前記直流領域の前記主プリント回路基板側に近接する部分に形成されていることを特徴とする請求項４乃至請求項６のいずれかに記載のテレビジョン。
【発明の詳細な説明】
【技術分野】
【０００１】
本発明は、電子機器およびテレビジョンに関し、特に、プリント回路基板間を接続するフレキシブルフラットケーブルの引き廻し処理を簡素化し、しかも、経済的性を向上することができるようにしたものである。
【背景技術】
【０００２】
近年、液晶パネルの薄型化および表示画面の大型化が進み、従来のＣＲＴに替わって液液晶パネルを備えた電子機器、例えば、薄型の液晶テレビジョンが急速に普及している。このようなテレビジョンにあっては、各種部品の共通化を図ること、および各プリント回路基板間を接続するフレキシブルフラットケーブルの引き廻し処理を簡素化することが望まれている。
【０００３】
従来、この種テレビジョンにあっては、例えば、主プリント回路基板と、入出力プリント回路基板との間をフレキシブルフラットケーブルで接続する場合、図５に示すように、液晶パネルの裏面に設けたシャーシ７０の略同一平面上にＬ字状となるように、同図において、中央部の上部に主プリント回路基板３０を、その下側に電源プリント回路基板４０を、この電源プリント回路基板４０の右側に入出力プリント回路基板５０を配設している。即ち、Ｌ字状のコーナー部に前記電源プリント回路基板４０を、Ｌ字状のそれぞれの両端部に主プリント回路基板３０および入出力プリント回路基板５０を配設している。そして、主プリント回路基板３０と、入出力プリント回路基板５０との間で信号を伝送するためにフレキシブルフラットケーブル８０で接続している。このフレキシブルフラットケーブル８０の引き廻し処理は、シャーシ７０の上部右部分における空間Ｓを利用し、また、フレキシブルフラットケーブル８０がフリーの状態となるのを防止するために、複数箇所、例えば、２箇所で固定用のテープ８１を用いて固定していた。
【０００４】
しかし、上述の構成では、フレキシブルフラットケーブル８０の寸法が長くなるとともに、フレキシブルフラットケーブル８０を複数箇所で、固定する必要があり、極めて不経済であるとともに、フレキシブルフラットケーブル８０の固定箇所が多いので、その作業性が悪いなどといった問題があった。
【０００５】
従来、例えば、シャーシの両面に設けられた回路基板間を、フレキシブルフラットケーブルで接続するのに、シャーシに貫通孔を設け、この貫通孔にフレキシブルフラットケーブルを挿通するようにしたものがある(特許文献１参照）。また、プリント回路基板に接続したフレキシブルフラットケーブルの接続部分の強度を高めるために、プリント回路基板に２個以上の貫通孔を設け、これら貫通孔にフレキシブルフラットケーブルを蛇行させて通すようにしたものがある(特許文献２参照）。
【特許文献１】特開２０００−１８１３７０号公報
【特許文献２】特開２００２−３５９４４７号公報
【発明の開示】
【発明が解決しようとする課題】
【０００６】
しかし、前述の特許文献１および特許文献２参記載の構成では、何れの構成も他のプリント回路基板間を接続するフレキシブルフラットケーブルの引き廻し処理に関するものではない。従って、これら特許文献１および特許文献２記載の構成では、フレキシブルフラットケーブルの長さそのものを短縮して、フレキシブルフラットケーブルの引き廻し処理を簡素化し、しかも、経済的性を向上することができないといった問題があった。
【０００７】
本発明は、上述した問題を解決するためになされたものであり、プリント回路基板間を接続するフレキシブルフラットケーブルの引き廻し処理を簡素化し、しかも、経済的性を向上することができるようにした電子機器およびテレビジョンを提供することを目的とする。
【課題を解決するための手段】
【０００８】
かかる目的を達成するため、本発明では、少なくとも３枚以上のプリント回路基板を有し、これらプリント回路基板を略同一平面上に配設してなり、プリント回路基板のうち、互いに隣接しないように配設されたプリント回路基板をフレキシブルフラットケーブルで接続するようにした電子機器において、プリント回路基板のうち、フレキシブルフラットケーブルで接続されるプリント回路基板との間に配設されるプリント回路基板には、フレキシブルフラットケーブルを挿通するケーブル挿通孔を設け、このケーブル挿通孔に前記フレキシブルフラットケーブルを挿通して引き廻し、当該ケーブル挿通孔を設けたプリント回路基板により、フレキシブルフラットケーブルを所定位置に保持するように構成する。
【０００９】
この構成によれば、プリント回路基板を略同一平面上に配設し、互いに隣接しないプリント回路基板間を接続するフレキシブルフラットケーブルを、その間に介在されたプリント回路基板に設けられたケーブル挿通孔に挿通して引き廻し、当該ケーブル挿通孔を設けたプリント回路基板により、フレキシブルフラットケーブルを所定位置に保持している。従って、フレキシブルフラットケーブルは、他の部分を引き回す場合に比べ最短距離となり、しかも、ケーブル挿通孔が設けられたプリント回路基板により、所定位置に保持されていることと相俟って、その固定箇所を減少することができる。この結果、フレキシブルフラットケーブルの引き廻し処理の簡素化が図れ、その構成は、簡単で、経済的なものとなる。
【００１０】
また、本発明においては、少なくとも３枚以上のプリント回路基板を有し、これらプリント回路基板を略同一平面上にＬ字状に配設してなり、プリント回路基板のうち、両端部に配設されたプリント回路基板間をフレキシブルフラットケーブルで接続するようにした電子機器において、プリント回路基板のうち、コーナー部に配設されたプリント回路基板には、フレキシブルフラットケーブルを挿通するケーブル挿通孔を設け、このケーブル挿通孔にフレキシブルフラットケーブルを挿通して引き廻し、当該ケーブル挿通孔を設け、コーナー部に配設されたプリント回路基板により、フレキシブルフラットケーブルを所定位置に保持するように構成する。
【００１１】
この構成によれば、プリント回路基板を略同一平面上にＬ字状に配設し、両端部に配設されたプリント回路基板間を接続するフレキシブルフラットケーブルを、コーナー部に配設されたプリント回路基板に設けたケーブル挿通孔に挿通して引き廻し、当該ケーブル挿通孔を設け、コーナー部に配設されたプリント回路基板により、フレキシブルフラットケーブルを所定位置に保持している。従って、フレキシブルフラットケーブルは、他の部分を引き回す場合に比べ最短距離となり、しかも、ケーブル挿通孔が設けられ、コーナー部に配設されたプリント回路基板により、所定位置に保持されていることと相俟って、その固定箇所を減少することができる。この結果、フレキシブルフラットケーブルの引き廻し処理の簡素化が図れ、その構成は、簡単で、経済的なものとなり、都合がよい。
【００１２】
また、本発明においては、プリント回路基板のうち、コーナー部に配設されたプリント回路基板は、電源回路が搭載された電源プリント回路基板であって、電源回路は、交流領域と、直流領域とからなり、ケーブル挿通孔は、直流領域の空間部に形成する。
【００１３】
この構成によれば、コーナー部に配設されたプリント回路基板が、交流領域と、直流領域とを備えた電源プリント回路基板であってっても、ケーブル挿通孔は、直流領域に形成されているので、フレキシブルフラットケーブルに殊更、特別な絶縁性能を付加する必要がなく、都合がよい。
【００１４】
また、本発明においては、少なくとも主プリント回路基板と、電源プリント回路基板と、入出力プリント回路基板とを有し、これら主プリント回路基板、電源プリント回路基板および入出力プリント回路基板を略同一平面上に、主プリント回路基板と、入出力プリント回路基板とが互いに隣接しないように配設し、主プリント回路基板と、入出力プリント回路基板との間をフレキシブルフラットケーブルで接続してなるテレビジョンにおいて、電源プリント回路基板には、フレキシブルフラットケーブルを挿通するケーブル挿通孔を設け、このケーブル挿通孔にフレキシブルフラットケーブルを挿通して引き廻し、電源プリント回路基板により、フレキシブルフラットケーブルを所定位置に保持するように構成する。
【００１５】
この構成によれば、主プリント回路基板と、電源プリント回路基板と、入出力プリント回路基板とを略同一平面上に配設し、互いに隣接しない主プリント回路基板と、入出力プリント回路基板との間を接続するフレキシブルフラットケーブルを、その間に介在された電源プリント回路基板に設けたケーブル挿通孔に挿通して引き廻し、当該ケーブル挿通孔を設けた電源プリント回路基板により、フレキシブルフラットケーブルを所定位置に保持している。従って、フレキシブルフラットケーブルは、他の部分を引き回す場合に比べ最短距離となり、しかも、ケーブル挿通孔が設けられた電源プリント回路基板により、所定位置に保持されていることと相俟って、その固定箇所を減少することができる。この結果、フレキシブルフラットケーブルの引き廻し処理の簡素化が図れ、その構成は、簡単で、経済的なものとなる。
【００１６】
また、本発明においては、少なくとも主プリント回路基板と、電源プリント回路基板と、入出力プリント回路基板とを有し、これら主プリント回路基板、電源プリント回路基板および入出力プリント回路基板を略同一平面上にＬ字状となるように、電源プリント回路基板をコーナー部に、主プリント回路基板および入出力プリント回路基板をそれぞれ両端部に配設し、主プリント回路基板と、入出力プリント回路基板との間をフレキシブルフラットケーブルで接続してなるテレビジョンにおいて、電源プリント回路基板には、フレキシブルフラットケーブルを挿通するケーブル挿通孔を設け、このケーブル挿通孔にフレキシブルフラットケーブルを挿通して引き廻し、電源プリント回路基板により、フレキシブルフラットケーブルを所定位置に保持するように構成する。
【００１７】
この構成によれば、主プリント回路基板と、電源プリント回路基板と、入出力プリント回路基板とを略同一平面上にＬ字状に配設し、両端部に配設された主プリント回路基板と、入出力プリント回路基板との間を接続するフレキシブルフラットケーブルを、コーナー部に配設された電源プリント回路基板に設けたケーブル挿通孔に挿通して引き廻し、当該ケーブル挿通孔を設けてコーナー部に配設された電源プリント回路基板により、フレキシブルフラットケーブルを所定位置に保持している。従って、フレキシブルフラットケーブルは、他の部分を引き回す場合に比べ最短距離となり、しかも、ケーブル挿通孔が設けられ、コーナー部に配設された電源プリント回路基板により、所定位置に保持されていることと相俟って、その固定箇所を減少することができる。この結果、フレキシブルフラットケーブルの引き廻し処理の簡素化が図れ、その構成は、簡単で、経済的なものとなり、都合がよい。
【００１８】
また、本発明においては、全体的な制御を統括して行う制御手段を有し、アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示部と、電源回路と、前記テレビジョン受信手段に繋がれ、外部の機器と画像情報を含む信号を授受するためのコネクタを有する入出力部と、これらテレビジョン受信手段、画像表示部、電源回路および入出力部を収納する筐体とを有し、テレビジョン受信手段の少なくとも制御手段を含む主要部は、主プリント回路基板に、電源回路は、電源プリント回路基板に、入出力部は、入出力プリント回路基板に、それぞれ搭載し、これら主プリント回路基板、電源プリント回路基板および入出力プリント回路基板を略同一平面上にＬ字状となるように、電源プリント回路基板をコーナー部に、主プリント回路基板および入出力プリント回路基板をそれぞれ両端部に配設し、主プリント回路基板と、入出力プリント回路基板との間をフレキシブルフラットケーブルで接続してなるテレビジョンにおいて、画像表示部の裏面には、シャーシを、更に備え、当該シャーシには、少なくとも主プリント回路基板と、電源プリント回路基板と、入出力プリント回路基板とを配設し、電源プリント回路基板には、フレキシブルフラットケーブルを挿通するケーブル挿通孔を設け、このケーブル挿通孔にフレキシブルフラットケーブルを挿通して引き廻し、電源プリント回路基板により、フレキシブルフラットケーブルを所定位置に保持するように構成する。
【００１９】
この構成によれば、主プリント回路基板と、電源プリント回路基板と、入出力プリント回路基板とを画像表示部の裏面に設けたシャーシの略同一平面上にＬ字状に配設し、両端部に配設された主プリント回路基板と、入出力プリント回路基板との間を接続するフレキシブルフラットケーブルを、コーナー部に配設された電源プリント回路基板に設けたケーブル挿通孔に挿通して引き廻し、当該ケーブル挿通孔を設け、コーナー部に配設された電源プリント回路基板により、フレキシブルフラットケーブルを所定位置に保持している。従って、フレキシブルフラットケーブルは、他の部分を引き回す場合に比べ最短距離となり、しかも、ケーブル挿通孔が設けられ、コーナー部に配設された電源プリント回路基板により、所定位置に保持されていることと相俟って、その固定箇所を減少することができる。この結果、フレキシブルフラットケーブルの引き廻し処理の簡素化が図れ、その構成は、簡単で、経済的なものとなる。更に、画像表示部の裏面に設けたシャーシ上に、これら主プリント回路基板と、電源プリント回路基板と、入出力プリント回路基板とを有機的に配置しているので、各種部品などの取り付け作業や接続作業が行い易く、都合がよい。
【００２０】
また、本発明においては、主プリント回路基板は、フレキシブルフラットケーブルが接続されるコネクタを有し、このコネクタは、電源プリント回路基板側に配設するとともに、ケーブル挿通孔は、電源プリント回路基板の主プリント回路基板側に形成する。
【００２１】
この構成によれば、フレキシブルフラットケーブルが接続される主プリント回路基板のコネクタは、電源プリント回路基板側に配設されているとともに、ケーブル挿通孔は、電源プリント回路基板の主プリント回路基板側に形成されている。従って、フレキシブルフラットケーブルの引き廻し距離は、より短くできるので、都合がよい。
【００２２】
更に、本発明においては、ケーブル挿通孔が設けられた電源プリント回路基板は、交流領域と、直流領域とからなり、直流領域には、主プリント回路基板側に近接する部分を有し、ケーブル挿通孔は、直流領域の主プリント回路基板側に近接する部分に形成する。
【００２３】
この構成によれば、電源プリント回路基板が、交流領域と、直流領域とを備えた電源プリント回路基板であってっても、ケーブル挿通孔は、主プリント回路基板側に近接する部分の直流領域に形成されているので、フレキシブルフラットケーブルに、殊更、特別な絶縁性能を付加する必要がないとともに、フレキシブルフラットケーブルの引き廻し距離を、より短くでき、都合がよい。
【発明の効果】
【００２４】
本発明によれば、簡単な構成により、プリント回路基板間を接続するフレキシブルフラットケーブルの引き廻し処理を簡素化し、しかも、経済的性を向上することができる電子機器およびテレビジョンを得ることができる。
【発明を実施するための最良の形態】
【００２５】
（実施形態）
以下、本発明の一実施形態を図１乃至図４に基づいて説明する。図１は、本発明の一実施形態に係る電子機器の一例である液晶テレビジョンの概略構成を示す正面図である。図２は、図１に示す液晶テレビジョンの概略構成を示すブロック図、図３は、図１に示す液晶テレビジョンのリアケースを取り外した状態の概略構成を示す背面図、図４は、図３の要部側断面図である。
【００２６】
図１に示す液晶テレビジョン１は、厚みの薄い略矩形状の筐体１１を有している。筐体１１は、例えば、スタンド機構１２などにより略鉛直に正立され、その正面側に矩形状の開口１１１が設けられている。開口１１１には、画像表示部である液晶モジュール１３の液晶パネル１３１が嵌め込まれ、この液晶パネル１３１において映像を表示することが可能となっている。また、例えば、液晶モジュール１３の下方には、音声部であるスピーカ１４が配設されている。
【００２７】
この液晶テレビジョン１は、図２に示すように、概略、テレビジョン受信手段２と、画像表示部である液晶モジュール１３、バックライト１５、音声部であるスピーカ１４、インバータ回路１６、電源回路１７、入出力部１８および操作パネル１９などから構成されている。
【００２８】
テレビジョン受信手段２は、全体的な制御を統括して行う制御手段２１を有し、アンテナＡを介して受信したテレビジョン放送信号の中から、ユーザにより設定入力されたチャンネルの放送信号の選局・復調を行って、映像・音声信号を出力する。このテレビジョン受信手段２は、制御手段２１と、アンテナＡに接続されたチューナ回路２２と、画像データ生成回路２３と、パネル駆動回路２４などから構成されている。制御手段２１は、液晶テレビジョン１を構成する各部と電気的に接続されており、装置の全体的な制御を統括して行う。この制御手段２１は、マイクロコンピュータ（マイクロコントローラ）から構成され、この制御手段２１には、作業用のメモリ空間を提供する図示しないＲＡＭ（Ｒａｎｄｏｍ  Ａｃｃｅｓｓ  Ｍｅｍｏｒｙ）と、制御プログラムや制御データが格納されるＲＯＭ（Ｒｅａｄ  Ｏｎｌｙ  Ｍｅｍｏｒｙ）などが接続されている。このテレビジョン受信手段２からの出力信号に基づいて、画像表示部である液晶モジュール１３の液晶パネル１３１に画像情報を表示する。なお、ＲＡＭやＲＯＭは、マイクロコンピュータと一体的に集積された構成としても良いのは、勿論である。
【００２９】
チューナ回路２２は、制御手段２１からの制御によりアンテナＡよりテレビ放送を受信し、所定の信号増幅処理などを行いつつ、テレビジョン放送信号から中間周波信号としての映像信号を抽出し、画像データ生成回路２３へ出力する。画像データ生成回路２３は、入力した映像信号をその信号レベルに応じてデジタル信号化するとともに、映像信号から抽出した輝度信号と色差信号とに基づいてマトリクス変換処理を行ない、画像データとしてのＲＧＢ（レッド、グリーン、ブルー）信号を生成する。
【００３０】
パネル駆動回路２４では、上記ＲＧＢ信号を入力するとともにＲＧＢ信号に対して液晶モジュール１３の液晶表示パネル１３１の画素数（横縦比、ｍ：ｎ）に合わせたスケーリング処理を行い、液晶表示パネル１３１に表示する１画面分の画像データを生成する。そして、このように生成された画像データを液晶表示パネル１３１に出力することにより、液晶表示パネル１３１に画像データに基づく画像表示をさせる。
【００３１】
電源回路１７は、外部の商用電源などから電力（交流）の供給を受けるとともに、供給された電力を、制御手段２１を始めインバータ回路１６などの各回路へ供給する。電源回路１７は、必要に応じて各回路へ供給する電力を交流から直流へと変換する変圧器１７１（図３参照）を備えている。インバータ回路１６は、電源回路１７から供給された直流電圧を交流電圧に変換するとともに昇圧された電圧がバックライト１５に供給される。バックライト１５は、液晶表示パネル１３１を背面から照射する光源の役割を果たす。
【００３２】
入出力部１８は、外部の機器と接続して映像情報および音声情報などの信号を授受するためのコネクタ５２（図３参照）を有し、この入出力部１８は、後述すようにテレビジョン受信手段２と接続されている。操作パネル１９には、複数の操作ボタンやリモコン受信部１９１が設けられ外部からの指示操作を受け付けるように構成されている。これにより、テレビジョン受信手段２の制御手段２２は、操作パネル１９およびリモコン受信部１９１を介してリモコンＲから入力される種々のコマンド信号に応じて各部に制御信号を発して所定の動作を行わせる。
【００３３】
かかる構成により、ユーザは、例えば、筐体１１に設けられた操作パネル或いはリモコンＲを操作し、所望のチャンネルに合わせることにより、液晶モジュール１３の液晶パネル１３１に表示される画像を観ることができ、同時にスピーカ１４から音声を聴くことができる。
【００３４】
而して、本発明に従い、図２乃至図４に示すように、テレビジョン受信手段の少なくとも制御手段２１を含む主要部は、主プリント回路基板３に、電源回路１７は、電源プリント回路基板４に、入出力部１８は、入出力プリント回路基板５に、また、インバータ回路１６は、インバータプリント回路基板６に、それぞれ搭載されている。これら主プリント回路基板３、電源プリント回路基板４および入出力プリント回路基板５は、液晶モジュール１３の裏面に配設されたシャーシ７の略同一平面上に設けた、例えば、ボス７１にＬ字状となるように、電源プリント回路基板４をコーナー部に、主プリント回路基板３および入出力プリント回路基板５をそれぞれ両端部に配設してある。なお、本発明において、Ｌ字状とは、各プリント回路基板が、鉤形状に配置されていれば良く、逆Ｌ字状などに配置されていても良いのは、勿論である。
【００３５】
そして、電源プリント回路基板４には、フレキシブルフラットケーブル８を挿通するための、例えば、方形またはスリット状のケーブル挿通孔４１が設けられている。このケーブル挿通孔４１には、主プリント回路基板３と、入出力プリント回路基板５との間を接続するフレキシブルフラットケーブル８が挿通されて引き廻され、これにより、フレキシブルフラットケーブル８は、電源プリント回路基板４により、所定位置に保持されている。フレキシブルフラットケーブル８の一端は、主プリント回路基板３に設けられたコネクタ３１に、他端は、入出力プリント回路基板５に設けられたコネクタ５１に、それぞれ接続されている。なお、８１は、必要に応じて用いられるフレキシブルフラットケーブル８を固定するテープである。このテープ８１は、本発明により、フレキシブルフラットケーブル８の長さが短くなることにより、使用せずに、或いはその使用箇所を、従来例に比べ、例えば、２箇所から１箇所に削減することができる。
【００３６】
この場合、主プリント回路基板３に設けられたコネクタ３１は、電源プリント回路基板４側に配設するとともに、電源プリント回路基板４に形成するケーブル挿通孔４１は、主プリント回路基板３側に形成するのが好ましい。このように構成すると、フレキシブルフラットケーブル８が接続される主プリント回路基板３のコネクタ３１が、電源プリント回路基板４側に配設され、ケーブル挿通孔４１は、電源プリント回路基板４の主プリント回路基板３側に形成されているので、フレキシブルフラットケーブル８の引き廻し距離を、より短くでき、都合がよい。
【００３７】
また、ケーブル挿通孔４１が設けられた電源プリント回路基板４は、交流領域ＡＣと、直流領域ＤＣとから形成されているので、直流領域ＤＣには、主プリント回路基板３側に近接する部分を配設されるように形成し、ケーブル挿通孔４１は、直流領域ＤＣの主プリント回路基板３側に近接する部分に形成するのが好ましい。このように構成すると、レイアウト上、Ｌ字条のコーナー部に電源プリント回路基板４が配設されても、ケーブル挿通孔４１は、主プリント回路基板３側に近接する部分の直流領域ＤＣに形成されているので、フレキシブルフラットケーブル８に、殊更、特別な絶縁性能を付加する必要がないとともに、フレキシブルフラットケーブル８の引き廻し距離を、より短くでき、都合がよい。
【００３８】
以上の構成による本実施形態によれば、主プリント回路基板３と、電源プリント回路基板４と、入出力プリント回路基板５とを略同一平面上に配設し、互いに隣接しない主プリント回路基板３と、入出力プリント回路基板５との間を接続するフレキシブルフラットケーブ８ルを、その間に介在された電源プリント回路基板４に設けたケーブル挿通孔４１に挿通して引き廻し、当該ケーブル挿通孔４１を設けた電源プリント回路基板４により、フレキシブルフラットケーブル８を所定位置に保持している。従って、フレキシブルフラットケーブル８は、他の部分を引き回す場合に比べ最短距離となり、しかも、ケーブル挿通孔４１が設けられた電源プリント回路基板４により、所定位置に保持されていることと相俟って、その固定箇所を減少することができる。この結果、フレキシブルフラットケーブル８の引き廻し処理の簡素化が図れ、その構成は、簡単で、経済的なものとなる。
【００３９】
また、本実施形態によれば、主プリント回路基板３と、電源プリント回路基板４と、入出力プリント回路基板５とを略同一平面上にＬ字状に配設し、両端部に配設された主プリント回路基板３と、入出力プリント回路基板５との間を接続するフレキシブルフラットケーブル８を、コーナー部に配設された電源プリント回路基板４に設けたケーブル挿通孔４１に挿通して引き廻し、当該ケーブル挿通孔４１を設け、コーナー部に配設された電源プリント回路基板４により、フレキシブルフラットケーブル８を所定位置に保持している。従って、フレキシブルフラットケーブル８は、他の部分を引き回す場合に比べ最短距離となり、しかも、ケーブル挿通孔４１が設けられたコーナー部に配設された電源プリント回路基板４により、所定位置に保持されていることと相俟って、その固定箇所を減少することができる。この結果、フレキシブルフラットケーブル８の引き廻し処理の簡素化が図れ、その構成は、簡単で、経済的なものとなり、都合がよい。
【００４０】
更に、本実施形態によれば、主プリント回路基板３と、電源プリント回路基板４と、入出力プリント回路基板５とを液晶モジュール１３の裏面に設けたシャーシ７の略同一平面上にＬ字状に配設し、両端部に配設された主プリント回路基板３と、入出力プリント回路基板５との間を接続するフレキシブルフラットケーブル８を、コーナー部に配設された電源プリント回路基板４に設けたケーブル挿通孔４１に挿通して引き廻し、当該ケーブル挿通孔４１を設けてコーナー部に配設された電源プリント回路基板４により、フレキシブルフラットケーブル８を所定位置に保持している。従って、フレキシブルフラットケーブル８は、他の部分を引き回す場合に比べ最短距離となり、しかも、ケーブル挿通孔４１が設けられたコーナー部に配設された電源プリント回路基板４により、所定位置に保持されていることと相俟って、その固定箇所を減少することができる。この結果、フレキシブルフラットケーブル８の引き廻し処理の簡素化が図れ、その構成は、簡単で、経済的なものとなる。しかも、液晶モジュール１３の裏面に設けたシャーシ７上に、これら主プリント回路基板３と、電源プリント回路基板４と、入出力プリント回路基板５とを有機的に配置しているので、各種部品などの取り付け作業や接続作業が行い易く、都合がよい。
【００４１】
なお、上述した各実施形態は、本発明の好適な実施例であるが、本発明はこれに限定されるものではなく、本発明の要旨を逸脱しない範囲において、種々変形実施可能である。
【００４２】
例えば、上述した実施形態では、電子機器として、液晶テレビジョン１に用いた場合について詳述したが、他の電子機器に本発明を適用してもよいのは、勿論である。
【図面の簡単な説明】
【００４３】
【図１】本発明の一実施形態に係る電子機器の一例である液晶テレビジョンの概略構成を示す正面図である。
【図２】図１に示す液晶テレビジョンの概略構成を示すブロック図である。
【図３】図１に示す液晶テレビジョンのリアケースを取り外した状態の概略構成を示す背面図である。
【図４】図３の要部側断面図である。
【図５】従来の液晶テレビジョンのリアケースを取り外した状態の概略構成を示す背面図である。
【符号の説明】
【００４４】
１      電子機器（液晶テレビジョン）
１６    電源回路
１８    入出力部
２      テレビジョン受信手段
２１    制御手段
３      主プリント回路基板
３１    コネクタ
４      電源プリント回路基板
４１    ケーブル挿通孔
５      入出力プリント回路基板
５１    コネクタ
５２    コネクタ
７      シャーシ
８      フレキシブルフラットケーブル
ＡＣ    交流領域
ＤＣ    直流領域
【図１】
2009043796.tif 000003
【図２】
2009043796.tif 000004
【図３】
2009043796.tif 000005
【図４】
2009043796.tif 000006
【図５】
2009043796.tif 000007